(57)【要約】【課題】  複数のコイル導体のそれぞれから発生する磁束が他のコイル導体に与える影響を小さくした積層型コモンモードチョークコイルアレイ及びその製造方法を提供すること。【解決手段】  第１及び第２内部導体３１、３２と第３及び第４内部導体３３、３４を形成する非磁性絶縁材料層２３と、非磁性絶縁材料層２３の積層方向の両端外面側に配置された第１及び第２磁性材料層２１、２２とを具備してなる積層体に、第１から第４内部導体３１〜３４に接続された外部電極が設けられ、第１及び第２内部導体３１、３２と第３及び第４内部導体３３、３４とが一方向に互いに隣接するように配列されると共に、第１から第４内部導体３１〜３４のそれぞれを構成する２つの渦巻状導体が前記一方向とほぼ直交して配置されていることを特徴とする。【選択図】  図１
2005268603.tif 000002
【特許請求の範囲】
【請求項１】
複数の非磁性絶縁材料が積層され、これら非磁性絶縁材料の各別のものに上下に分離した第１及び第２内部導体が複数組形成されている非磁性絶縁材料層と、該非磁性絶縁材料層の積層方向の両端外面側に配置された磁性材料層とを具備してなる積層体に、前記第１及び第２内部導体に接続された外部電極が設けられている積層型コモンモードチョークコイルアレイであって、
前記第１及び第２内部導体は、それぞれこれら各内部導体の形成される非磁性絶縁材料上において一方向に互いに隣接して複数組設けられると共に、巻き方向が同一である複数の渦巻状導体と、該複数の渦巻状導体を接続する接続導体とによって構成され、
前記複数の渦巻状導体が、前記一方向とほぼ直交する方向に配置されていることを特徴とする積層型コモンモードチョークコイルアレイ。
【請求項２】
前記第１内部導体の導体長と、前記第２内部導体の導体長とが同じで、かつ前記第１内部導体のうち磁気結合に寄与する導体長と、前記第２内部導体のうち磁気結合に寄与する導体長とが同じとされていることを特徴とする請求項１に記載の積層型コモンモードチョークコイルアレイ。
【請求項３】
複数の非磁性絶縁材料が積層され、これら非磁性絶縁材料の各別のものに上下に分離した第１及び第２内部導体が複数組形成されている非磁性絶縁材料層と、該非磁性絶縁材料層の積層方向の両端外面側に配置された磁性材料層とを具備してなる積層体に、前記第１及び第２内部導体に接続された外部電極が設けられ、
前記第１及び第２内部導体が、それぞれこれら各内部導体の形成される非磁性絶縁材料上において一方向に互いに隣接して複数組設けられると共に、巻き方向が同一である複数の渦巻状導体と、該複数の渦巻状導体を接続する接続導体とによって構成され、
前記複数の渦巻状導体が、前記一方向とほぼ直交する方向に配置されていることを特徴とする積層型コモンモードチョークコイルアレイの製造方法であって、
前記非磁性絶縁材料層を、前記複数の非磁性絶縁材料上に前記複数の渦巻状導体及び接続導体を形成した後に、これらを積層して形成することを特徴とする積層型コモンモードチョークコイルアレイの製造方法。
【発明の詳細な説明】
【技術分野】
【０００１】
本発明は、電子機器に侵入するコモンモードノイズを除去する積層型コモンモードチョークコイルアレイ及びその製造方法に関する。
【背景技術】
【０００２】
従来より、パーソナルコンピュータやその周辺機器で採用されているＵＳＢ（Universal Serial Bus）、ＩＥＥＥ１３９４（Institute of Electrical and Electronics Engineers 1394）及びＬＤＶＳ（Low Voltage Differential Signaling）といった高速の差動伝送方式のラインに流れるコモンモードノイズを除去するために、積層型コモンモードチョークコイルが使用されている。
【０００３】
この積層型コモンモードチョークコイルは、複数の非磁性絶縁材料の表面に導体を形成し、これを積層することによって形成された２つ以上のコイルを磁気的に組み合わせたコイルのことであり、電流の伝導方向におけるノーマルモードの成分には影響を与えないようにしてコモンモードの成分のみを除去するように構成したものである。
【０００４】
このような積層型コモンモードチョークコイルにおいて、１つの積層体に複数組のコイルをアレイ状に配置した積層型コモンモードチョークコイルアレイがある。
このような積層型コモンモードチョークコイルアレイにおいて、２組のコイル導体を平面視で互いに隣り合うように配置し、２組のコイル導体のうち互いに隣り合う側の巻回数が、隣り合わない側の巻回数よりも少なくなるように構成することによって、２組のコイル導体間に発生するクロストークを低減した積層型コモンモードチョークコイルアレイが提案されている（例えば、特許文献１参照）。
【特許文献１】特開２００３−２１７９３２号公報（図１）
【発明の開示】
【発明が解決しようとする課題】
【０００５】
しかしながら、上記従来の積層型コモンモードチョークコイルアレイにおいては、以下の問題がある。すなわち、２組のコイル導体のうち互いに隣り合う側の巻回数が、隣り合わない側の巻回数よりも１巻き分のみ少ない構造であるため、２組のコイル導体のうち一方のコイル導体から他方のコイル導体に影響を与える磁束が大きいという問題がある。
また、３組以上コイル導体を配置すると、内部導体のうち巻き回数の多い側が隣り合うことになり、互いのコイル導体に影響を与える磁束が大きくなるという問題がある。
【０００６】
本発明は、上記事情に鑑みてなされたもので、複数のコイル導体のそれぞれから発生する磁束が、他のコイル導体に与える影響を小さくした積層型コモンモードチョークコイルアレイ及びその製造方法を提供することを目的とする。
【課題を解決するための手段】
【０００７】
本発明は、前記課題を解決するために以下の構成を採用した。すなわち、本発明にかかる積層型コモンモードチョークコイルアレイは、複数の非磁性絶縁材料が積層され、これら非磁性絶縁材料の各別のものに上下に分離した第１及び第２内部導体が複数組形成されている非磁性絶縁材料層と、該非磁性絶縁材料層の積層方向の両端外面側に配置された磁性材料層とを具備してなる積層体に、前記第１及び第２内部導体に接続された外部電極が設けられている積層型コモンモードチョークコイルアレイであって、前記第１及び第２内部導体は、それぞれこれら各内部導体の形成される非磁性絶縁材料上において一方向に互いに隣接して複数組設けられると共に、巻き方向が同一である複数の渦巻状導体と、該複数の渦巻状導体を接続する接続導体とによって構成され、前記複数の渦巻状導体が、前記一方向とほぼ直交する方向に配置されていることを特徴とする。
【０００８】
また、本発明にかかる積層型コモンモードチョークコイルアレイの製造方法は、複数の非磁性絶縁材料が積層され、これら非磁性絶縁材料の各別のものに上下に分離した第１及び第２内部導体が複数組形成されている非磁性絶縁材料層と、該非磁性絶縁材料層の積層方向の両端外面側に配置された磁性材料層とを具備してなる積層体に、前記第１及び第２内部導体に接続された外部電極が設けられ、前記第１及び第２内部導体は、それぞれこれら各内部導体の形成される非磁性絶縁材料上において一方向に互いに隣接して複数組設けられると共に、巻き方向が同一である複数の渦巻状導体と、該複数の渦巻状導体を接続する接続導体とによって構成され、前記複数の渦巻状導体が、前記一方向とほぼ直交する方向に配置されていることを特徴とする積層型コモンモードチョークコイルアレイの製造方法であって、前記非磁性絶縁材料層を、前記複数の非磁性絶縁材料上に前記複数の渦巻状導体及び接続導体を形成した後に、これらを積層して形成することを特徴とする。
【０００９】
この発明にかかる積層型コモンモードチョークコイルアレイ及びその製造方法によれば、第１及び第２内部導体のそれぞれに設けられている複数の渦巻状導体が、複数組設けられた第１及び第２内部導体の配置方向に対してほぼ直交する方向に配置されていることで、各組の第１及び第２内部導体にコモンモード時に発生する磁束は、複数配置された第１内部導体の配置方向に対してほぼ直交すると共に、複数の渦巻状導体の配置方向に対して平行な平面で主に発生する。
これにより、発生する磁束が隣り合う他の組の第１及び第２内部導体に与える影響を低減できる。したがって、第１及び第２内部導体をより狭い間隔で複数組配置することができ、積層型コモンモードチョークコイルアレイの小型化が図れる。
特に、第１及び第２内部導体を３組以上配置した場合であっても、コモンモード時にそれぞれの組で発生する磁束は、主に複数配置された第１内部導体の配置方向に対してほぼ直交すると共に、複数の渦巻状導体の配置方向に対して平行な平面で発生するので、隣り合う他の組の第１及び第２内部導体に与える影響が低減される。
【００１０】
また、本発明にかかる積層型コモンモードチョークコイルアレイは、前記第１内部導体の導体長と、前記第２内部導体の導体長とが同じで、かつ前記第１内部導体のうち磁気結合に寄与する導体長と、前記第２内部導体のうち磁気結合に寄与する導体長とが同じとされていることが好ましい。
この発明にかかる積層型コモンモードチョークコイルアレイによれば、第１及び第２内部導体の導体長を等しくすることによって、第１及び第２内部導体にノーマルモード時に発生する磁束を互いに打ち消しあうことができる。これにより、ノーマルモードインピーダンスを低減することができる。
【発明の効果】
【００１１】
本発明の積層型コモンモードチョークコイルアレイ及びその製造方法によれば、第１及び第２内部導体のそれぞれに設けられている複数の渦巻状導体が、複数組設けられた第１及び第２内部導体の配置方向に対してほぼ直交する方向に配置されていることで、各組の第１及び第２内部導体にコモンモード時に発生する磁束が、複数配置された第１内部導体の配置方向に対してほぼ直交すると共に、複数の渦巻状導体の配置方向に対して平行な平面で主に発生する。
これにより、発生する磁束が、隣り合う他の組の第１及び第２内部導体に与える影響を低減できる。したがって、第１及び第２内部導体をより狭い間隔で複数組配置することができ、積層型コモンモードチョークコイルアレイの小型化が図れる。
特に、第１及び第２内部導体を３組以上配置した場合であっても、コモンモード時にそれぞれの組で発生する磁束は、主に複数配置された第１内部導体の配置方向に対してほぼ直交すると共に、複数の渦巻状導体の配置方向に対して平行な平面で発生するので、隣り合う他の組の第１及び第２内部導体に与える影響が低減される。
【発明を実施するための最良の形態】
【００１２】
以下、本発明による積層型コモンモードチョークコイルアレイ及びその製造方法の第１の実施形態を図面に基づいて説明する。なお、図１は本実施形態における積層型コモンモードチョークコイルアレイの分解斜視図、図２は図１の完成状態を示す積層型コモンモードチョークコイルアレイの外観斜視図、図３は本実施形態による積層型コモンモードチョークコイルアレイの磁気結合の様子を示す分解斜視図である。
【００１３】
図１及び図２において、積層型コモンモードチョークコイルアレイ１０は、シート状とした複数枚の非磁性絶縁材料及び磁性材料を積層して一体化した構成とされる。また、略直方体形状の積層体とした積層型コモンモードチョークコイルアレイ１０の対向する２側面には、後述する２組の内部導体に引出電極を介して接続されている８つの外部電極１１〜１８が分配して設けられている。
図１に示す構成例では、積層体とした積層型コモンモードチョークコイルアレイ１０の上下両端面側に、それぞれが１または複数層よりなる第１及び第２磁性材料層２１、２２を配置してある。そして、これら上下の第１及び第２磁性材料層２１、２２の間には、少なくとも６層よりなる非磁性絶縁材料層２３を配置してある。
【００１４】
第１及び第２磁性材料層２１、２２は、それぞれが磁性材料２１ａ、２１ｂ、２１ｃ及び磁性材料２２ａ、２２ｂ、２２ｃを３層に積層した構成とされる。ここで、第１及び第２磁性材料層２１、２２としては高透磁率のものが好ましく、使用可能なシート状の磁性材料には、例えばＮｉ−Ｚｎフェライト、Ｎｉ−Ｚｎ−Ｃｕフェライトなどがある。
なお、第１及び第２磁性材料層２１、２２については、上述した３層に限定されることはなく、磁性材料の種類や厚みに応じて適宜変更することができる。
【００１５】
非磁性絶縁材料層２３は、上面側から第１非磁性絶縁材料２４、第２非磁性絶縁材料２５、第３非磁性絶縁材料２６、第４非磁性絶縁材料２７、第５非磁性絶縁材料２８及び第６非磁性絶縁材料２９の順にシート状の非磁性絶縁材料を６層積層した構成とされる。ここで、非磁性絶縁材料として使用可能なシート状の非磁性絶縁材料には、例えば、磁性材料２１ａ〜２１ｃ、２２ａ〜２２ｃに使用したＮｉ−ＺｎフェライトやＮｉ−Ｚｎ−Ｃｕフェライトなどと、構成元素は同じでも配合比により非磁性特性を示す材料や、アルミナなどのセラミックス材料、シリカなどのガラス材料などがある。
なお、第１及び第６非磁性絶縁材料２４、２９については、諸条件に応じてなくしたり、あるいはそれぞれを２層以上としてもよい。
【００１６】
さて、上述した６層の非磁性絶縁材料のうち、中間部の第２から第５非磁性絶縁材料２５〜２８には、それぞれの上面に２つの渦巻状導体３１ａ、３１ｂ及びこの渦巻状導体３１ａ、３１ｂを接続する接続導体３１ｃで構成される第１内部導体３１と、２つの渦巻状導体３２ａ、３２ｂ及びこの渦巻状導体３２ａ、３２ｂを接続する接続導体３２ｃで構成される第２内部導体３２と、２つの渦巻状導体３３ａ、３３ｂ及びこの渦巻状導体３３ａ、３３ｂを接続する接続導体３３ｃで構成される第３内部導体３３と、２つの渦巻状導体３４ａ、３４ｂ及びこの渦巻状導体３４ａ、３４ｂを接続する接続導体３４ｃで構成される第４内部導体３４とが設けられている。
なお、これら第１から第４内部導体３１〜３４は、例えば銀などの導電体を印刷や転写などの周知の手法により形成したものである。
【００１７】
このうち、渦巻状導体３１ａ、３１ｂは、第３非磁性絶縁材料２６の上面に互いに接続しないように形成され、それぞれ１ターン以上の渦巻状となっている。そして、渦巻状導体３１ａの一方の端部、すなわち渦巻きの外側となる端部には、外部電極１１に接続される引出電極３５が形成されている。また、渦巻状導体３１ａの他方の端部、すなわち渦巻きの内側となる端部は、第２非磁性絶縁材料２５を貫通するように設けられたスルーホールＨ１を介して、後述する第２非磁性絶縁材料２５の上面に形成されている接続導体３１ｃと電気的に接続されている。
【００１８】
さらに、渦巻状導体３１ａと同様に、渦巻状導体３１ｂの一方の端部、すなわち渦巻きの外側となる端部には、外部電極１２に接続される引出電極３６が形成されている。また、渦巻状導体３１ｂの他方の端部、すなわち渦巻きの内側となる端部は、第２非磁性絶縁材料２５を貫通するように設けられたスルーホールＨ２を介して、後述する第２非磁性絶縁材料２５の上面に形成されている接続導体３１ｃと電気的に接続されている。
【００１９】
接続導体３１ｃは、第２非磁性絶縁材料２５の上面に形成され、直線状となっている。そして、接続導体３１ａの両端部には、第２非磁性絶縁材料２５を貫通する２つのスルーホールＨ１、Ｈ２が設けられている。この結果、接続導体３１ｃの一方の端部は、スルーホールＨ１を介して、上述した第３非磁性絶縁材料２６の上面に形成されている渦巻状導体３１ａと電気的に接続され、接続導体３１ｃの他方の端部は、スルーホールＨ２を介して、上述した第３非磁性絶縁材料２６の上面に形成されている渦巻状導体３１ｂと電気的に接続されている。このようにして、上下に分離して配置した２つの内部導体の上側となる第１内部導体３１が構成されている。
【００２０】
また、渦巻状導体３２ａ、３２ｂは、上述した渦巻状導体３１ａ、３１ｂと同様に、第４非磁性絶縁材料２７の上面に互いに接続しないように形成され、それぞれ１ターン以上の渦巻状となっている。そして、渦巻状導体３２ａの一方の端部、すなわち渦巻きの外側となる端部には、外部電極１３に接続される引出電極３７が形成されている。また、渦巻状導体３２ａの他方の端部、すなわち渦巻きの内側となる端部には、第４非磁性絶縁材料２７を貫通するスルーホールＨ３が設けられている。この結果、渦巻状導体３２ａの他端側は、スルーホールＨ３を介して、後述する第５非磁性絶縁材料２８の上面に形成されている接続導体３２ｃと電気的に接続されている。
【００２１】
さらに、渦巻状導体３２ａと同様に、渦巻状導体３２ｂの一方の端部、すなわち渦巻きの外側となる端部には、外部電極１４に接続される引出電極３８が形成されている。また、渦巻状導体３２ｂの他方の端部、すなわち渦巻きの内側となる端部には、第４非磁性絶縁材料２７を貫通するスルーホールＨ４が設けられている。この結果、渦巻状導体３２ｂの他端側は、スルーホールＨ４を介して、後述する第５非磁性絶縁材料２８の上面に形成されている接続導体３２ｃと電気的に接続されている。
【００２２】
接続導体３２ｃは、上述した接続導体３１ｃと同様に、第５非磁性絶縁材料２８の上面に形成され、直線状となっている。そして、接続導体３２ｃの一方の端部は、スルーホールＨ３を介して、上述した第４非磁性絶縁材料２７の上面に形成されている渦巻状導体３２ａと電気的に接続され、他方の端部は、スルーホールＨ４を介して、上述した第４非磁性絶縁材料２７の上面に形成されている渦巻状導体３２ｂと電気的に接続されている。このようにして、上下に分離して配置した２つの内部導体の下側となる第２内部導体３２が構成されている。
【００２３】
また、渦巻状導体３３ａ、３３ｂは、上述した渦巻状導体３１ａ、３１ｂと同様に、第３非磁性絶縁材料２６の上面に互いに接続しないように形成され、それぞれ１ターン以上の渦巻状となっている。そして、渦巻状導体３３ａの一方の端部、すなわち渦巻きの外側となる端部には、外部電極１５に接続される引出電極３９が形成されている。また、渦巻状導体３３ａの他方の端部、すなわち渦巻きの内側となる端部は、第２非磁性絶縁材料２５を貫通するように設けられたスルーホールＨ５が設けられている。この結果、渦巻状導体３３ａの他端側は、スルーホールＨ５を介して、後述する第２非磁性絶縁材料２５の上面に形成されている接続導体３３ｃと電気的に接続されている。
【００２４】
さらに、渦巻状導体３３ａと同様に、渦巻状導体３３ｂの一方の端部、すなわち渦巻きの外側となる端部には、外部電極１６に接続される引出電極４０が形成されている。また、渦巻状導体３３ｂの他方の端部、すなわち渦巻きの内側となる端部は、第２非磁性絶縁材料２５を貫通するように設けられたスルーホールＨ６を介して、後述する第２非磁性絶縁材料２５の上面に形成されている接続導体３３ｃと電気的に接続されている。
【００２５】
接続導体３３ｃは、上述した接続導体３１ｃと同様に、第２非磁性絶縁材料２５の上面に形成され、直線状となっている。そして、接続導体３３ｃの両端部には、第２非磁性絶縁材料２５を貫通する２つのスルーホールＨ５、Ｈ６が設けられている。この結果、接続導体３３ｃの一方の端部は、スルーホールＨ５を介して、上述した第３非磁性絶縁材料２６の上面に形成されている渦巻状導体３３ａと電気的に接続され、接続導体３３ｃの他方の端部は、スルーホールＨ６を介して、上述した第３非磁性絶縁材料２６の上面に形成されている渦巻状導体３３ｂと電気的に接続されている。このようにして、上下に分離して配置した２つの内部導体の上側となる第３内部導体３３が構成されている。
【００２６】
また、渦巻状導体３４ａ、３４ｂは、上述した渦巻状導体３３ａ、３３ｂと同様に、第４非磁性絶縁材料２７の上面に互いに接続しないように形成され、それぞれ１ターン以上の渦巻状となっている。そして、渦巻状導体３４ａの一方の端部、すなわち渦巻きの外側となる端部には、外部電極１７に接続される引出電極４１が形成されている。また、渦巻状導体３４ａの他方の端部、すなわち渦巻きの内側となる端部には、第４非磁性絶縁材料２７を貫通するスルーホールＨ７が設けられている。この結果、渦巻状導体３４ａの他端側は、スルーホールＨ７を介して、後述する第５非磁性絶縁材料２８の上面に形成されている接続導体３４ｃと電気的に接続されている。
【００２７】
さらに、渦巻状導体３４ａと同様に、渦巻状導体３４ｂの一方の端部、すなわち渦巻きの外側となる端部には、外部電極１８に接続される引出電極４２が形成されている。また、渦巻状導体３４ｂの他方の端部、すなわち渦巻きの内側となる端部には、第４非磁性絶縁材料２７を貫通するスルーホールＨ８が設けられている。この結果、渦巻状導体３４ｂの他端側は、スルーホールＨ８を介して、後述する第５非磁性絶縁材料２８の上面に形成されている接続導体３４ｃと電気的に接続されている。
【００２８】
接続導体３４ｃは、上述した接続導体３３ｃと同様に、第５非磁性絶縁材料２８の上面に形成され、直線状となっている。そして、接続導体３４ｃの一方の端部は、スルーホールＨ７を介して、上述した第４非磁性絶縁材料２７の上面に形成されている渦巻状導体３４ａと電気的に接続され、他方の端部は、スルーホールＨ８を介して、上述した第４非磁性絶縁材料２７の上面に形成されている渦巻状導体３４ｂと電気的に接続されている。このようにして、上下に分離して配置した２つの内部導体の下側となる第４内部導体３４が構成されている。
【００２９】
ここで、第１内部導体３１の導体長と第２の内部導体３２の導体長とが同じで、かつ、第１内部導体３１のうち磁気結合に寄与する導体長と、第２内部導体３２のうち磁気結合に寄与する導体長とが同じとされている。
また、第３内部導体３３の導体長と第４内部導体３４の導体長とが同じで、かつ、第３内部導体３３のうち磁気結合に寄与する導体長と、第４内部導体３４のうち磁気結合に寄与する導体長とが同じとされている。
【００３０】
さらに、上述した第１から第６非磁性絶縁材料２４〜２９を積層してなる非磁性絶縁材料層２３は、第３及び第４非磁性絶縁材料２６、２７の上面に形成された渦巻状導体３１ａ、３２ａ及び渦巻状導体３１ｂ、３２ｂと、渦巻状導体３３ａ、３４ａ及び渦巻状導体３３ｂ、３４ｂが、それぞれ互いに平面視で重なるように配置されている。
また、第１内部導体３１を構成する渦巻状導体３１ａ、３１ｂは、第１内部導体３１及び第３内部導体３３の配置方向とは直交するように配置されている。同様に、第２から第４内部導体３２〜３４を構成する渦巻状導体３２ａ、３２ｂ、３３ａ、３３ｂ、３４ａ、３４ｂも、第１内部導体及び第３内部導体の配置方向とは直交するように配置されている。
【００３１】
以上のように構成された本発明の積層型コモンモードチョークコイルアレイ１０について、以下にその製造方法を説明する。
最初に、所定の形状（例えば矩形状）としたシート状の第１から第６非磁性絶縁材料２４〜２９を作成する。
次に、中間位置となる第２及び第４非磁性絶縁材料２５、２７の所定位置に、レーザ、パンチングなどの周知の手法を用いて穴あけ加工を施し、スルーホールＨ１〜Ｈ８を設ける。
【００３２】
次に、第３及び第４非磁性絶縁材料２６、２７の上面に、それぞれ１ターン以上の渦巻状導体３１ａ、３１ｂ、３２ａ、３２ｂ、３３ａ、３３ｂ、３４ａ、３４ｂを、印刷や転写などの周知の手法を用いて互いに短絡しないように形成し、第２及び第５非磁性絶縁材料２５、２８の上面に、それぞれ直線状の接続導体３１ｃ、３２ｃ、３３ｃ、３４ｃを、同様に形成する。
【００３３】
このとき、渦巻状導体３１ａの一端には引出電極３５が、渦巻状導体３１ｂの一端には引出電極３６が、渦巻状導体３２ａの一端には引出電極３７が、渦巻状導体３２ｂの一端には引出電極３８が、渦巻状導体３３ａの一端には引出電極３９が、渦巻状導体３３ｂの一端には引出電極４０が、渦巻状導体３４ａの一端には引出電極４１が、そして渦巻状導体３４ｂの一端には引出電極４２が、それぞれ一体に連続して形成されている。
また、スルーホールＨ１〜Ｈ８には、スルーホールを設けた非磁性絶縁材料に形成される導体と一体的に連続するような銀などの導電材料が充填される。なお、スルーホールを介して接続される非磁性絶縁材料側の導体とは、導体側に図示しない凸状の電極部を設けるなどしてスルーホールの導電体に接触させ、電気的に接続されるようになっている。
【００３４】
次に、第１から第６非磁性絶縁材料２４〜２９を積層し、非磁性絶縁材料層２３を形成する。これにより、渦巻状導体３１ａと接続導体３１ｃとが、スルーホールＨ１を介して電気的に接続され、渦巻状導体３１ｂと接続導体３１ｃとが、スルーホールＨ２を介して電気的に接続され、渦巻状導体３２ａと接続導体３２ｃとが、スルーホールＨ３を介して電気的に接続され、渦巻状導体３２ｂと接続導体３２ｃとが、スルーホールＨ４を介して電気的に接続され、渦巻状導体３３ａと接続導体３３ｃとが、スルーホールＨ５を介して電気的に接続され、渦巻状導体３３ｂと接続導体３３ｃとが、スルーホールＨ６を介して電気的に接続され、渦巻状導体３４ａと接続導体３４ｃとが、スルーホールＨ７を介して電気的に接続され、渦巻状導体３４ｂと接続導体３４ｃとが、スルーホールＨ８を介して電気的に接続される。このとき、第１及び第２内部導体３１、３２は、それぞれの有効長さが同じとされ、第３及び第４内部導体３３、３４は、それぞれの有効長さが同じとされている。
なお、第１及び第２磁性材料層２１、２２は、非磁性絶縁材料層２３を挟み込むようにして上下に積層されることにより積層体を形成し、これを焼成することによって完成する。
【００３５】
また、上述したコモンモードチョークコイルアレイ１０は、各非磁性絶縁材料に対し所定のピッチで複数組の内部導体を形成して積層してもよく、この場合、ダイシングなどで切断することにより、上述した積層体を同時に多数製造することができる。
最後に、積層体の対向する両側面に露出した引出電極３５〜４２と接続させて、銀などの導電体からなる外部電極１１〜１８をそれぞれ形成し、上述した構成の積層型コモンモードチョークコイルアレイを製造する。
なお、外部電極１１〜１８は、必要に応じて銀などの導電体の上面にメッキ処理を施してもよい。
【００３６】
このように構成された積層型コモンモードチョークコイルアレイ１０のコモンモード時における磁気結合について、図３を用いて説明する。
まず、第１及び第２内部導体３１、３２が、互いに影響しあって磁気結合する。ここで、磁気結合による磁束は、矢印Ｚ１に示すように、それぞれの渦巻状導体３１ａ、３１ｂ、３２ａ、３２ｂの配置方向に対して平行であって、第１及び第３内部導体３１、３３の配置方向に対して直交する平面で主に発生する。また、第３及び第４内部導体３３、３４が、互いに影響しあって磁気結合する。ここで、磁気結合による磁束は、矢印Ｚ２に示すように、矢印Ｚ１と同様に、それぞれの渦巻状導体３３ａ、３３ｂ、３４ａ、３４ｂの配置方向と平行であって、第１及び第３内部導体３１、３３の配置方向とは直交する面において主に発生する。
この結果、コモンモード時において、第１から第４内部導体３１〜３４で発生する磁束は、２組のコモンモードチョークコイルである第１及び第２内部導体３１、３２と第３及び第４内部導体３３、３４との配置方向と平行な平面で小さくなる。
これにより、２組のコモンモードチョークコイルの一方で発生した磁束が、他の組の内部導体に与える影響を低減できる。したがって、２組のコモンモードチョークコイルをより狭い間隔で配置することができ、積層型コモンモードチョークコイルアレイの小型化が図れる。
【００３７】
また、第１および第２内部導体３１、３２の導体長が互いに等しいことによって、ノーマルモード時において、第１及び第２内部導体３１、３２でそれぞれ発生する磁束を互いに打ち消しあうことができる。また、第３及び第４内部導体３３、３４の導体長が互いに等しいことによって、ノーマルモード時において、第３及び第４内部導体３３、３４でそれぞれ発生する磁束を互いに打ち消しあうことができる。これにより、ノーマルモードインピーダンスが低減する。
【００３８】
次に、第２の実施形態について図４及び図５を参照しながら説明する。
なお、ここで説明する実施形態はその基本的構成が上述した第１の実施形態と同様であり、上述の第１の実施形態に別の要素を付加したものである。したがって、図４においては、図１と同一構成要素に同一符号を付し、この説明を省略する。
【００３９】
第２の実施形態と第１の実施形態との異なる点は、第２の実施形態における積層型コモンモードチョークコイルアレイ５０では、第１から第４内部導体７１〜７４を構成する接続導体７１ｃ〜７４ｃが、複数層の非磁性絶縁材料にわたって形成されている点である。
【００４０】
すなわち、非磁性絶縁材料層５１は、上面側から順に第１から第１０非磁性絶縁材料５２〜６１で１０層積層した構成となっている。
上述した１０層の非磁性絶縁材料のうち、中間部の第２及び第９非磁性絶縁材料５３〜６０には、それぞれの上面に２つの渦巻状導体３１ａ、３１ｂ及びこの渦巻状導体３１ａ、３１ｂを接続する接続導体７１ｃで構成される第１内部導体７１と、２つの渦巻状導体３２ａ、３２ｂ及びこの渦巻状導体３２ａ、３２ｂを接続する接続導体７２ｃで構成される第２内部導体７２と、２つの渦巻状導体３３ａ、３３ｂ及びこの渦巻状導体３３ａ、３３ｂを接続する接続導体７３ｃで構成される第３内部導体７３と、２つの渦巻状導体３４ａ、３４ｂ及びこの渦巻状導体３４ａ、３４ｂを接続する接続導体７４ｃで構成される第４内部導体７４とが設けられている。
【００４１】
接続導体７１ｃは、６つの渦巻状導体７１ｄ〜７１ｉと、渦巻状導体７１ｄ、７１ｅを接続する直線導体７１ｊとによって構成され、接続導体７２ｃは、接続導体７１ｃと同様に、６つの渦巻状導体７２ｄ〜７２ｉと、直線導体７２ｊとによって構成され、接続導体７３ｃは、接続導体７１ｃ、７２ｃと同様に、６つの渦巻状導体７３ｄ〜７３ｉと、直線導体７３ｊとによって構成され、接続導体７４ｃは、接続導体７１ｃ〜７３ｃと同様に、６つの渦巻状導体７４ｄ〜７４ｉと、直線導体７４ｊとによって構成されている。
【００４２】
このうち、渦巻状導体３１ａ、３１ｂは、第５非磁性絶縁材料５６の上面に形成されている。そして、渦巻状導体３１ａの一方の端部、すなわち渦巻きの外側となる端部には、外部電極１１に接続される引出電極３５が形成されている。また、渦巻状導体３１ａの他方の端部、すなわち渦巻きの内側となる端部は、第４非磁性絶縁材料５５を貫通するように設けられたスルーホールＨ１１を介して、後述する第４非磁性絶縁材料５５の上面に形成されている渦巻状導体７１ｄと電気的に接続されている。
【００４３】
さらに、渦巻状導体３１ａと同様に、渦巻状導体３１ｂの一方の端部、すなわち渦巻きの外側となる端部には、外部電極１２に接続される引出電極３６が形成されている。また、渦巻状導体３１ｂの他方の端部、すなわち渦巻きの内側となる端部は、第４非磁性絶縁材料５５を貫通するように設けられたスルーホールＨ１２を介して、後述する第４非磁性絶縁材料５５の上面に形成されている渦巻状導体７１ｅと電気的に接続されている。
【００４４】
渦巻状導体７１ｄは、第４非磁性絶縁材料５５の上面に形成されている。そして、渦巻状導体７１ｄの一方の端部、すなわち渦巻きの外側となる端部は、第３非磁性絶縁材料５４を貫通するように設けられたスルーホールＨ１３を介して、後述する第３非磁性絶縁材料５４の上面に形成されている渦巻状導体７１ｆと電気的に接続されている。また、渦巻状導体７１ｄの他方の端部、すなわち渦巻きの内側となる端部には、第４非磁性絶縁材料５５を貫通するようにスルーホールＨ１１が設けられている。この結果、渦巻状導体７１ｄの他端側は、スルーホールＨ１１を介して、上述した第４非磁性絶縁材料５５の上面に形成されている渦巻状導体３１ａと電気的に接続されている。
【００４５】
渦巻状導体７１ｅは、渦巻状導体７１ｄと同様に、第４非磁性絶縁材料５５の上面に形成されている。そして、渦巻状導体７１ｅの一方の端部、すなわち渦巻きの外側となる端部は、第３非磁性絶縁材料５４を貫通するように設けられたスルーホールＨ１４を介して、後述する第３非磁性絶縁材料５４の上面に形成されている渦巻状導体７１ｇと電気的に接続されている。また、渦巻状導体７１ｅの他方の端部、すなわち渦巻きの内側となる端部には、第４非磁性絶縁材料５５を貫通するようにスルーホールＨ１２が設けられている。この結果、渦巻状導体７１ｅの他端側は、スルーホールＨ１２を介して、上述した第４非磁性絶縁材料５５の上面に形成されている渦巻状導体３１ｂと電気的に接続されている。
【００４６】
渦巻状導体７１ｆは、渦巻状導体７１ｄ、７１ｅと同様に、第３非磁性絶縁材料５４の上面に形成されている。そして、渦巻状導体７１ｆの一方の端部、すなわち渦巻きの外側となる端部には、第３非磁性絶縁材料５４を貫通するようにスルーホールＨ１３が設けられている。この結果、渦巻状導体７１ｆの一端側は、スルーホールＨ１３を介して、上述した第４非磁性絶縁材料５５の上面に形成されている渦巻状導体７１ｄと電気的に接続されている。また、渦巻状導体７１ｆの他方の端部、すなわち渦巻きの内側となる端部は、第２非磁性絶縁材料５３を貫通するように設けられたスルーホールＨ１５を介して、後述する第２非磁性絶縁材料５３の上面に形成されている渦巻状導体７１ｈと電気的に接続されている。
【００４７】
渦巻状導体７１ｇは、渦巻状導体７１ｄ〜７１ｆと同様に、第３非磁性絶縁材料５４の上面に形成されている。そして、渦巻状導体７１ｇの一方の端部、すなわち渦巻きの外側となる端部には、第３非磁性絶縁材料５４を貫通するようにスルーホールＨ１４が設けられている。この結果、渦巻状導体７１ｇの一端側は、スルーホールＨ１４を介して、上述した第４非磁性絶縁材料５５の上面に形成されている渦巻状導体７１ｅと電気的に接続されている。また、渦巻状導体７１ｇの他方の端部、すなわち渦巻きの内側となる端部は、第２非磁性絶縁材料５３を貫通するように設けられたスルーホールＨ１６を介して、後述する第２非磁性絶縁材料５３の上面に形成されている渦巻状導体７１ｉと電気的に接続されている。
【００４８】
渦巻状導体７１ｈ、７１ｉ及び直線導体７１ｊは、渦巻状導体７１ｄ〜７１ｇと同様に、第２非磁性絶縁材料５３の上面に形成されている。そして、渦巻状導体７１ｈの一方の端部、すなわち渦巻きの外側となる端部は、直線導体７１ｊを介して、渦巻状導体７１ｉの一方の端部、すなわち渦巻きの外側となる端部と電気的に接続されている。また、渦巻状導体７１ｈの他方の端部、すなわち渦巻きの内側となる端部には、第２非磁性絶縁材料５３を貫通するようにスルーホールＨ１５が設けられている。この結果、渦巻状導体７１ｈの他端側は、スルーホールＨ１５を介して、上述した第３非磁性絶縁材料５４の上面に形成されている渦巻状導体７１ｆと電気的に接続されている。
【００４９】
さらに、渦巻状導体７１ｉの他方の端部、すなわち渦巻きの外側となる端部には、第２非磁性絶縁材料５３を貫通するようにスルーホールＨ１６が設けられている。この結果、渦巻状導体７１ｉの他端側は、スルーホールＨ１６を介して、上述した第３非磁性絶縁材料５４の上面に形成されている渦巻状導体７１ｇと電気的に接続されている。このようにして、上下に分離して配置した２つの内部導体の上側となる第１内部導体７１が構成されている。
【００５０】
また、渦巻状導体３２ａ、３２ｂは、上述した渦巻状導体３１ａ、３１ｂと同様に、第６非磁性絶縁材料５７の上面に形成されている。そして、渦巻状導体３２ａの一方の端部、すなわち渦巻きの外側となる端部には、外部電極１３に接続される引出電極３７が形成されている。また、渦巻状導体３２ａの他方の端部、すなわち渦巻きの内側となる端部は、第６非磁性絶縁材料５７を貫通するスルーホールＨ１７が形成されている。この結果、渦巻状導体３２ａの他端側は、スルーホールＨ１７を介して、後述する第７非磁性絶縁材料５８の上面に形成されている渦巻状導体７２ｄと電気的に接続されている。
【００５１】
さらに、渦巻状導体３３ａと同様に、渦巻状導体３２ｂの一方の端部、すなわち渦巻きの外側となる端部には、外部電極１４に接続される引出電極３８が形成されている。また、渦巻状導体３２ｂの他方の端部、すなわち渦巻きの内側となる端部は、第６非磁性絶縁材料５７を貫通するスルーホールＨ１８が形成されている。この結果、渦巻状導体３２ｂの他端側は、スルーホールＨ１８を介して、後述する第７非磁性絶縁材料５８の上面に形成されている渦巻状導体７２ｅと電気的に接続されている。
【００５２】
渦巻状導体７２ｄは、第７非磁性絶縁材料５８の上面に形成されている。そして、渦巻状導体７２ｄの一方の端部、すなわち渦巻きの外側となる端部には、第７非磁性絶縁材料５８を貫通するようにスルーホールＨ１９が設けられている。この結果、渦巻状導体７２ｄの一端側は、スルーホールＨ１９を介して、後述する第８非磁性絶縁材料５９の上面に形成されている渦巻状導体７２ｆと電気的に接続されている。また、渦巻状導体７２ｄの他方の端部、すなわち渦巻きの内側となる端部は、第６非磁性絶縁材料５７を貫通するように設けられたスルーホールＨ１７を介して、上述した第６非磁性絶縁材料５７の上面に形成されている渦巻状導体３２ａと電気的に接続されている。
【００５３】
渦巻状導体７２ｅは、渦巻状導体７２ｄと同様に、第７非磁性絶縁材料５８の上面に形成されている。そして、渦巻状導体７２ｅの一方の端部、すなわち渦巻きの外側となる端部には、第７非磁性絶縁材料５８を貫通するようにスルーホールＨ２０が設けられている。この結果、渦巻状導体７２ｅの一端側は、スルーホールＨ２０を介して、後述する第８非磁性絶縁材料５９の上面に形成されている渦巻状導体７２ｇと電気的に接続されている。また、渦巻状導体７２ｅの他方の端部、すなわち渦巻きの内側となる端部は、第６非磁性絶縁材料５７を貫通するように設けられたスルーホールＨ１８を介して、上述した第６非磁性絶縁材料５７の上面に形成されている渦巻状導体３２ｂと電気的に接続されている。
【００５４】
渦巻状導体７２ｆは、渦巻状導体７２ｄ、７２ｅと同様に、第８非磁性絶縁材料５９の上面に形成されている。そして、渦巻状導体７２ｆの一方の端部、すなわち渦巻きの外側となる端部は、第７非磁性絶縁材料５８を貫通するように設けられたスルーホールＨ１９を介して、上述した第７非磁性絶縁材料５８の上面に形成されている渦巻状導体７２ｄと電気的に接続されている。また、渦巻状導体７２ｆの他方の端部、すなわち渦巻きの内側となる端部には、第８非磁性絶縁材料５９を貫通するようにスルーホールＨ２１が設けられている。この結果、渦巻状導体７２ｆの一端側は、スルーホールＨ２１を介して、後述する第８非磁性絶縁材料５９の上面に形成されている渦巻状導体７２ｈと電気的に接続されている。
【００５５】
渦巻状導体７２ｇは、渦巻状導体７２ｄ〜７２ｆと同様に、第８非磁性絶縁材料５９の上面に形成されている。そして、渦巻状導体７２ｇの一方の端部、すなわち渦巻きの外側となる端部は、第７非磁性絶縁材料５８を貫通するように設けられたスルーホールＨ２０を介して、上述した第７非磁性絶縁材料５８の上面に形成されている渦巻状導体７２ｅと電気的に接続されている。また、渦巻状導体７２ｇの他方の端部、すなわち渦巻きの内側となる端部には、第８非磁性絶縁材料５９を貫通するようにスルーホールＨ２２が設けられている。この結果、渦巻状導体７２ｇの一端側は、スルーホールＨ２２を介して、後述する第８非磁性絶縁材料５９の上面に形成されている渦巻状導体７２ｉと電気的に接続されている。
【００５６】
渦巻状導体７２ｈ、７２ｉ及び直線導体７２ｊは、渦巻状導体７２ｄ〜７２ｇと同様に、第９非磁性絶縁材料６０の上面に形成されている。そして、渦巻状導体７２ｈの一方の端部、すなわち渦巻きの外側となる端部は、直線導体７２ｊを介して、渦巻状導体７２ｉの一方の端部、すなわち渦巻きの外側となる端部と電気的に接続されている。また、渦巻状導体７２ｈの他方の端部、すなわち渦巻きの内側となる端部には、第８非磁性絶縁材料５９を貫通するように設けられたスルーホールＨ２１を介して、上述した第８非磁性絶縁材料５９の上面に形成されている渦巻状導体７２ｆと電気的に接続されている。
【００５７】
さらに、渦巻状導体７２ｉの他方の端部、すなわち渦巻きの外側となる端部には、第８非磁性絶縁材料５９を貫通するように設けられたスルーホールＨ２２を介して、上述した第８非磁性絶縁材料５９の上面に形成されている渦巻状導体７２ｇと電気的に接続されている。このようにして、上下に分離して配置した２つの内部導体の下側となる第２内部導体７２が構成されている。
【００５８】
また、渦巻状導体３３ａ、３３ｂは、上述した渦巻状導体３１ａ、３１ｂと同様に、第５非磁性絶縁材料５６の上面に形成されている。そして、渦巻状導体３３ａの一方の端部、すなわち渦巻きの外側となる端部には、外部電極１５に接続される引出電極３９が形成されている。また、渦巻状導体３３ａの他方の端部、すなわち渦巻きの内側となる端部は、第４非磁性絶縁材料５５を貫通するように設けられたスルーホールＨ２３を介して、後述する第４非磁性絶縁材料５５の上面に形成されている渦巻状導体７３ｄと電気的に接続されている。
【００５９】
さらに、渦巻状導体３３ａと同様に、渦巻状導体３３ｂの一方の端部、すなわち渦巻きの外側となる端部には、外部電極１６に接続される引出電極４０が形成されている。また、渦巻状導体３３ｂの他方の端部、すなわち渦巻きの内側となる端部は、第４非磁性絶縁材料５５を貫通するように設けられたスルーホールＨ２４を介して、後述する第４非磁性絶縁材料５５の上面に形成されている渦巻状導体７３ｅと電気的に接続されている。
【００６０】
渦巻状導体７３ｄは、第４非磁性絶縁材料５５の上面に形成されている。そして、渦巻状導体７３ｄの一方の端部、すなわち渦巻きの外側となる端部は、第３非磁性絶縁材料５４を貫通するように設けられたスルーホールＨ２５を介して、後述する第３非磁性絶縁材料５４の上面に形成されている渦巻状導体７３ｆと電気的に接続されている。また、渦巻状導体７３ｄの他方の端部、すなわち渦巻きの内側となる端部には、第４非磁性絶縁材料５５を貫通するようにスルーホールＨ２３が設けられている。この結果、渦巻状導体７３ｄの他端側は、スルーホールＨ２３を介して、上述した第４非磁性絶縁材料５５の上面に形成されている渦巻状導体３３ａと電気的に接続されている。
【００６１】
渦巻状導体７３ｅは、渦巻状導体７３ｄと同様に、第４非磁性絶縁材料５５の上面に形成されている。そして、渦巻状導体７３ｅの一方の端部、すなわち渦巻きの外側となる端部は、第３非磁性絶縁材料５４を貫通するように設けられたスルーホールＨ２６を介して、後述する第３非磁性絶縁材料５４の上面に形成されている渦巻状導体７３ｇと電気的に接続されている。また、渦巻状導体７３ｅの他方の端部、すなわち渦巻きの内側となる端部には、第４非磁性絶縁材料５５を貫通するようにスルーホールＨ２４が設けられている。この結果、渦巻状導体７３ｅの他端側は、スルーホールＨ２４を介して、上述した第４非磁性絶縁材料５５の上面に形成されている渦巻状導体３３ｂと電気的に接続されている。
【００６２】
渦巻状導体７３ｆは、渦巻状導体７３ｄ、７３ｅと同様に、第３非磁性絶縁材料５４の上面に形成されている。そして、渦巻状導体７３ｆの一方の端部、すなわち渦巻きの外側となる端部には、第３非磁性絶縁材料５４を貫通するようにスルーホールＨ２５が設けられている。この結果、渦巻状導体７３ｆの一端側は、スルーホールＨ２５を介して、上述した第４非磁性絶縁材料５５の上面に形成されている渦巻状導体７３ｄと電気的に接続されている。また、渦巻状導体７３ｆの他方の端部、すなわち渦巻きの内側となる端部は、第２非磁性絶縁材料５３を貫通するように設けられたスルーホールＨ２７を介して、後述する第２非磁性絶縁材料５３の上面に形成されている渦巻状導体７３ｈと電気的に接続されている。
【００６３】
渦巻状導体７３ｇは、渦巻状導体７３ｄ〜７３ｆと同様に、第３非磁性絶縁材料５４の上面に形成されている。そして、渦巻状導体７３ｇの一方の端部、すなわち渦巻きの外側となる端部には、第３非磁性絶縁材料５４を貫通するようにスルーホールＨ２６が設けられている。この結果、渦巻状導体７３ｇの一端側は、スルーホールＨ２６を介して、上述した第４非磁性絶縁材料５５の上面に形成されている渦巻状導体７３ｅと電気的に接続されている。また、渦巻状導体７３ｇの他方の端部、すなわち渦巻きの内側となる端部は、第２非磁性絶縁材料５３を貫通するように設けられたスルーホールＨ２８を介して、後述する第２非磁性絶縁材料５３の上面に形成されている渦巻状導体７３ｉと電気的に接続されている。
【００６４】
渦巻状導体７３ｈ、７３ｉ及び直線導体７３ｊは、渦巻状導体７３ｄ〜７３ｇと同様に、第２非磁性絶縁材料５３の上面に形成されている。そして、渦巻状導体７３ｈの一方の端部、すなわち渦巻きの外側となる端部は、直線導体７３ｊを介して、渦巻状導体７３ｉの一方の端部、すなわち渦巻きの外側となる端部と電気的に接続されている。また、渦巻状導体７３ｈの他方の端部、すなわち渦巻きの内側となる端部には、第２非磁性絶縁材料５３を貫通するようにスルーホールＨ２７が設けられている。この結果、渦巻状導体７３ｈの他端側は、スルーホールＨ２７を介して、上述した第３非磁性絶縁材料５４の上面に形成されている渦巻状導体７３ｆと電気的に接続されている。
【００６５】
さらに、渦巻状導体７３ｉの他方の端部、すなわち渦巻きの外側となる端部には、第２非磁性絶縁材料５３を貫通するようにスルーホールＨ２８が設けられている。この結果、渦巻状導体７３ｉの他端側は、スルーホールＨ２８を介して、上述した第３非磁性絶縁材料５４の上面に形成されている渦巻状導体７３ｇと電気的に接続されている。このようにして、上下に分離して配置した２つの内部導体の上側となる第３内部導体７３が構成されている。
【００６６】
また、渦巻状導体３４ａ、３４ｂは、上述した渦巻状導体３２ａ、３２ｂと同様に、第６非磁性絶縁材料５７の上面に形成されている。そして、渦巻状導体３４ａの一方の端部、すなわち渦巻きの外側となる端部には、外部電極１７に接続される引出電極４１が形成されている。また、渦巻状導体３４ａの他方の端部、すなわち渦巻きの内側となる端部は、第６非磁性絶縁材料５７を貫通するスルーホールＨ２９が形成されている。この結果、渦巻状導体３４ａの他端側は、スルーホールＨ２９を介して、後述する第７非磁性絶縁材料５８の上面に形成されている渦巻状導体７４ｄと電気的に接続されている。
【００６７】
さらに、渦巻状導体３３ａと同様に、渦巻状導体３４ｂの一方の端部、すなわち渦巻きの外側となる端部には、外部電極１８に接続される引出電極４２が形成されている。また、渦巻状導体３４ｂの他方の端部、すなわち渦巻きの内側となる端部は、第６非磁性絶縁材料５７を貫通するスルーホールＨ３０が形成されている。この結果、渦巻状導体３４ｂの他端側は、スルーホールＨ３０を介して、後述する第７非磁性絶縁材料５８の上面に形成されている渦巻状導体７４ｅと電気的に接続されている。
【００６８】
渦巻状導体７４ｄは、第７非磁性絶縁材料５８の上面に形成されている。そして、渦巻状導体７４ｄの一方の端部、すなわち渦巻きの外側となる端部には、第７非磁性絶縁材料５８を貫通するようにスルーホールＨ３１が設けられている。この結果、渦巻状導体７４ｄの一端側は、スルーホールＨ３１を介して、後述する第８非磁性絶縁材料５９の上面に形成されている渦巻状導体７４ｆと電気的に接続されている。また、渦巻状導体７４ｄの他方の端部、すなわち渦巻きの内側となる端部は、第６非磁性絶縁材料５７を貫通するように設けられたスルーホールＨ２９を介して、上述した第６非磁性絶縁材料５７の上面に形成されている渦巻状導体３４ａと電気的に接続されている。
【００６９】
渦巻状導体７４ｅは、渦巻状導体７４ｄと同様に、第７非磁性絶縁材料５８の上面に形成されている。そして、渦巻状導体７４ｅの一方の端部、すなわち渦巻きの外側となる端部には、第７非磁性絶縁材料５８を貫通するようにスルーホールＨ３２が設けられている。この結果、渦巻状導体７４ｅの一端側は、スルーホールＨ３２を介して、後述する第８非磁性絶縁材料５９の上面に形成されている渦巻状導体７４ｇと電気的に接続されている。また、渦巻状導体７４ｅの他方の端部、すなわち渦巻きの内側となる端部は、第６非磁性絶縁材料５７を貫通するように設けられたスルーホールＨ３０を介して、上述した第６非磁性絶縁材料５７の上面に形成されている渦巻状導体３４ｂと電気的に接続されている。
【００７０】
渦巻状導体７４ｆは、渦巻状導体７４ｄ、７４ｅと同様に、第８非磁性絶縁材料５９の上面に形成されている。そして、渦巻状導体７４ｆの一方の端部、すなわち渦巻きの外側となる端部は、第７非磁性絶縁材料５８を貫通するように設けられたスルーホールＨ３１を介して、上述した第７非磁性絶縁材料５８の上面に形成されている渦巻状導体７４ｄと電気的に接続されている。また、渦巻状導体７４ｆの他方の端部、すなわち渦巻きの内側となる端部には、第８非磁性絶縁材料５９を貫通するようにスルーホールＨ３３が設けられている。この結果、渦巻状導体７４ｆの一端側は、スルーホールＨ３３を介して、後述する第８非磁性絶縁材料５９の上面に形成されている渦巻状導体７４ｈと電気的に接続されている。
【００７１】
渦巻状導体７４ｇは、渦巻状導体７４ｄ〜７４ｆと同様に、第８非磁性絶縁材料５９の上面に形成されている。そして、渦巻状導体７４ｇの一方の端部、すなわち渦巻きの外側となる端部は、第７非磁性絶縁材料５８を貫通するように設けられたスルーホールＨ３２を介して、上述した第７非磁性絶縁材料５８の上面に形成されている渦巻状導体７４ｅと電気的に接続されている。また、渦巻状導体７４ｇの他方の端部、すなわち渦巻きの内側となる端部には、第８非磁性絶縁材料５９を貫通するようにスルーホールＨ３４が設けられている。この結果、渦巻状導体７４ｇの一端側は、スルーホールＨ３２を介して、後述する第８非磁性絶縁材料５９の上面に形成されている渦巻状導体７４ｉと電気的に接続されている。
【００７２】
渦巻状導体７４ｈ、７４ｉ及び直線導体７４ｊは、渦巻状導体７４ｄ〜７４ｇと同様に、第９非磁性絶縁材料６０の上面に形成されている。そして、渦巻状導体７４ｈの一方の端部、すなわち渦巻きの外側となる端部は、直線導体７４ｊを介して、渦巻状導体７４ｉの一方の端部、すなわち渦巻きの外側となる端部と電気的に接続されている。また、渦巻状導体７４ｈの他方の端部、すなわち渦巻きの内側となる端部には、第８非磁性絶縁材料５９を貫通するように設けられたスルーホールＨ３３を介して、上述した第８非磁性絶縁材料５９の上面に形成されている渦巻状導体７４ｆと電気的に接続されている。
【００７３】
さらに、渦巻状導体７４ｉの他方の端部、すなわち渦巻きの外側となる端部には、第８非磁性絶縁材料５９を貫通するように設けられたスルーホールＨ３４を介して、上述した第８非磁性絶縁材料５９の上面に形成されている渦巻状導体７４ｇと電気的に接続されている。このようにして、上下に分離して配置した２つの内部導体の下側となる第４内部導体７４が構成されている。
【００７４】
ここで、第１内部導体７１の導体長と第２内部導体７２の導体長とが同じで、かつ、第１内部導体７１のうち磁気結合に寄与する導体長と、第２内部導体７２のうち磁気結合に寄与する導体長とが同じとされている。
また、第３内部導体７３の導体長と第４内部導体７４の導体長とが同じで、かつ、第３内部導体７３のうち磁気結合に寄与する導体長と、第４内部導体７４のうち磁気結合に寄与する導体長とが同じとされている。
【００７５】
さらに、上述した第１から第１０非磁性絶縁材料５２〜６１を積層してなる非磁性絶縁材料層５１は、第３及び第４非磁性絶縁材料５４、５５の上面に形成された渦巻状導体３１ａ、３２ａ及び渦巻状導体３１ｂ、３２ｂと、渦巻状導体３３ａ、３４ａ及び渦巻状導体３３ｂ、３４ｂが、それぞれ互いに平面視で重なるように配置されている。
【００７６】
このように構成された積層型コモンモードチョークコイルアレイ５０のコモンモード時における磁気結合について、図５を用いて説明する。
上述した第１の実施形態と同様に、第１及び第２内部導体７１、７２が互いに影響しあって磁気結合する。ここで発生する磁束は、主に矢印Ｚ３に示す方向となる。また、第３及び第４内部導体７３、７４が互いに影響しあって磁気結合する。ここで発生する磁束は、主に矢印Ｚ４に示す方向となる。
この結果、コモンモード時において、第１及び第２内部導体７１、７２と第３及び第４内部導体７３、７４との２組のコモンモードチョークコイルの一方で発生した磁束が、他方の組の内部導体に与える影響を低減できる。
【００７７】
また、第１から第４内部導体７１〜７４を構成する接続導体７１ｃ〜７４ｃが、それぞれ複数層の非磁性絶縁材料にわたって形成されているので、第１から第４内部導体７１〜７４の導体長が長くなる。これにより、磁気結合に寄与する内部導体の長さを十分に確保することで、コモンモード時におけるインピーダンスを高くして、ノイズ除去性能が向上した積層型コモンモードチョークコイルアレイとすることができる。
【００７８】
ところで、本発明の構成は上述した実施形態に限定されるものではなく、本発明の要旨を逸脱しない範囲内において適宜変更することができる。
例えば、上述した積層型コモンモードチョークコイルアレイは、第１及び第２内部導体と第３及び第４内部導体との２組の内部導体を配置したが、３組以上の内部導体を配置してもよい。このようにしても、１組の内部導体で発生した磁束が他の組の内部導体に与える影響を低減できる。
【図面の簡単な説明】
【００７９】
【図１】本発明の第１の実施形態における積層型コモンモードチョークコイルアレイを示す分解斜視図である。
【図２】本発明の第１の実施形態における積層型コモンモードチョークコイルアレイを示す外観斜視図である。
【図３】本発明の第１の実施形態における積層型コモンモードチョークコイルアレイの磁気結合の様子を示す分解斜視図である。
【図４】本発明の第２の実施形態における積層型コモンモードチョークコイルアレイを示す分解斜視図である。
【図５】本発明の第２の実施形態における積層型コモンモードチョークコイルアレイの磁気結合の様子を示す分解斜視図である。
【符号の説明】
【００８０】
１０、５０  積層型コモンモードチョークコイルアレイ
１１〜１８  外部電極
２１  第１磁性材料層
２２  第２磁性材料層
２３、５１  非磁性絶縁材料層
３１、７１  第１内部導体
３２、７２  第２内部導体
３３、７３  第３内部導体
３４、７４  第４内部導体
３１ａ、３１ｂ、３２ａ、３２ｂ、３３ａ、３３ｂ、３４ａ、３４ｂ  渦巻状導体
３１ｃ、３２ｃ、７１ｃ、７２ｃ、７３ｃ、７４ｃ  接続導体
【図１】
2005268603.tif 000003
【図２】
2005268603.tif 000004
【図３】
2005268603.tif 000005
【図４】
2005268603.tif 000006
【図５】
2005268603.tif 000007